(57)【特許請求の範囲】
【請求項１】
適応的近隣セル関係機能を備えた第１通信装置で実行される方法であって、
前記第１通信装置がサービスを提供している第１セル内に滞在しているか接続しているユーザ装置から、第２通信装置がサービスを提供している潜在的な近隣セル候補についての測定報告を受信する受信ステップと、
前記受信ステップで受信された前記測定報告が示している、前記潜在的な近隣セル候補にサービスを提供している前記第２通信装置へのノード間接続を確立することを決定する決定ステップと、
前記第１通信装置の地理的な位置の情報を含む接続要求を前記第２通信装置へ送信することによって、前記第２通信装置へのノード間接続の確立を開始する開始ステップと、
前記第１通信装置の地理的な位置が前記第２通信装置の地理的な位置の範囲内でないときに、前記接続要求に対するノード間接続応答であって、間違った近隣セル関係であることを表す否定的ノード間接続応答を示すノード間接続応答を受信するステップと、
前記ノード間接続応答が否定的ノード間接続応答を示したときに、リストに登録されている複数の通信装置の複数のセルが前記第１通信装置によりサービスを提供されている複数のセルに対する近隣セルとは考慮されないことを示す当該リストに前記第２通信装置の識別情報を格納するステップと
を有することを特徴とする方法。
【請求項２】
前記接続要求には、前記第１セルの方向、カバレッジ、送信電力のうち少なくとも１つを示す情報が含まれていることを特徴とする請求項１に記載の方法。
【請求項３】
正しい近隣セル関係であることを表す肯定的ノード間接続応答を受信するステップをさらに有することを特徴とする請求項１または２に記載の方法。
【請求項４】
前記測定報告と前記ノード間接続応答との少なくとも一方に基づいて、前記適応的な近隣セル関係機能が備える近隣関係リストに、前記潜在的な近隣セル候補を追加するステップをさらに有することを特徴とする請求項３に記載の方法。
【請求項５】
前記測定報告を送信してきた前記ユーザ装置の識別情報を、信頼できないユーザ装置として、ブラックリストに格納するステップをさらに有することを特徴とする請求項３または４に記載の方法。
【請求項６】
前記接続要求の手続きを否定された手続としてロギングし、サービス停止攻撃が進行中であるかどうかを判定するステップをさらに有することを特徴とする請求項１ないし５のいずれか１項に記載の方法。
【請求項７】
第２通信装置で実行される方法であって、
第１通信装置と前記第２通信装置との間にノード間接続を確立するための接続要求を前記第１通信装置から受信する受信ステップであって、前記接続要求には前記第１通信装置の地理的な位置を示す情報が含まれている、前記受信ステップと、
前記第１通信装置の地理的な位置と前記第２通信装置の地理的な位置とを比較することで、前記接続要求に対するノード間接続応答を決定する決定ステップであって、前記ノード間接続応答には、前記第１通信装置の地理的な位置が前記第２通信装置の地理的な位置の範囲内でないことが決定された場合には、非隣接関係であることを示す否定的ノード間接続応答が含まれる、前記決定ステップと、
前記第１通信装置に対して前記ノード間接続応答を送信して、前記ノード間接続応答が否定的ノード間接続応答を示したときに、リストに登録されている複数の通信装置の複数のセルが前記第１通信装置によりサービスを提供されている複数のセルに対する近隣セルとは考慮されないことを示す当該リストに前記第２通信装置の識別情報を前記第１通信装置に格納させる送信ステップと
を有することを特徴とする方法。
【請求項８】
前記接続要求には、前記第１通信装置がサービスを提供している少なくとも１つのセルについての方向、カバレッジおよび送信電力のうち少なくとも１つを示す情報が含まれており、
前記決定ステップは、前記ノード間接続応答を決定するときに、
前記第１通信装置がサービスを提供している少なくとも１つのセルについての方向、カバレッジおよび送信電力のうち少なくとも１つと、
前記第２通信装置がサービスを提供している複数のセルについての方向、カバレッジおよび送信電力のうち少なくとも１つと
を考慮して前記ノード間接続応答を決定するステップを有することを特徴とする請求項７に記載の方法。
【請求項９】
前記ノード間接続応答は、否定的ノード間接続応答を表し、当該否定的ノード間接続応答は、否定の要因を示す要因値を示していることを特徴とする請求項７または８に記載の方法。
【請求項１０】
ユーザ装置が誤りの有る近隣測定報告を送信してきたことを示すインジケーションを前記第１通信装置から受信するステップと、
前記ユーザ装置の識別情報を、誤りの有る近隣測定報告を送信してきたユーザ装置の識別情報を登録したリストに、追加するステップと
をさらに有することを特徴とする請求項７ないし９のいずれか１項に記載の方法。
【請求項１１】
前記範囲は、強度、方向または送信電力と、カバレッジとのうち少なくとも１つに基づいて決定されており、当該範囲は、前記第２通信装置のセルの半径の２倍となる範囲であることを特徴とする請求項７ないし１０のいずれか１項に記載の方法。
【請求項１２】
リストに登録されている複数の通信装置の複数のセルが、前記第１通信装置がサービスを提供している複数のセルに対する近隣セルとは考慮されないことを示す当該リストに、前記第２通信装置の識別情報を格納するステップをさらに有することを特徴とする請求項７ないし１１のいずれか１項に記載の方法。
【請求項１３】
第１通信装置であって、
前記第１通信装置が備えたメモリユニットに格納された適応隣接セル関係機能と、
適応隣接セル関係機能を実行する制御ユニットと、
前記第１通信装置がサービスを提供している第１セル内に滞在しているか接続しているユーザ装置から、潜在的な近隣セル候補についての測定報告を受信する受信ユニットと
を備え、
前記制御ユニットは、
前記受信ユニットで受信された前記測定報告が示している、前記潜在的な近隣セル候補にサービスを提供している第２通信装置へのノード間接続を確立することを決定し、
前記第１通信装置の地理的な位置の情報を含む接続要求を、ネットワークインタフェースを介して、前記第２通信装置へ送信することによって、前記第２通信装置へのノード間接続の確立を開始し、
前記第１通信装置の地理的な位置が前記第２通信装置の地理的な位置の範囲内でないときに、前記接続要求に対するノード間接続応答であって、間違った近隣セル関係であることを表す否定的ノード間接続応答を示すノード間接続応答を受信し、
前記ノード間接続応答が否定的ノード間接続応答を示したときに、リストに登録されている複数の通信装置の複数のセルが前記第１通信装置によりサービスを提供されている複数のセルに対する近隣セルとは考慮されないことを示す当該リストに前記第２通信装置の識別情報を格納する
ことを特徴とする第１通信装置。
【請求項１４】
第２通信装置であって、
第１通信装置と前記第２通信装置との間にノード間接続を確立するための接続要求を前記第１通信装置から受信するネットワークインタフェースであって、前記接続要求には前記第１通信装置の地理的な位置を示す情報が含まれている、前記ネットワークインタフェースと、
前記第１通信装置の地理的な位置と前記第２通信装置の地理的な位置とを比較することで、前記接続要求に対するノード間接続応答を決定する制御ユニットであって、前記ノード間接続応答には、前記第１通信装置の地理的な位置が前記第２通信装置の地理的な位置の範囲内でないことが決定された場合には、非隣接関係であることを示す否定的ノード間接続応答が含まれる、前記制御ユニットと
を備え、
前記ネットワークインタフェースは、さらに、前記第１通信装置に対して前記ノード間接続応答を送信して、前記ノード間接続応答が否定的ノード間接続応答を示したときに、リストに登録されている複数の通信装置の複数のセルが前記第１通信装置によりサービスを提供されている複数のセルに対する近隣セルとは考慮されないことを示す当該リストに前記第２通信装置の識別情報を前記第１通信装置に格納させることを特徴とする第２通信装置。
【発明の詳細な説明】
【技術分野】
【０００１】
本発明は、通信ネットワークにおける方法および通信装置に関するものであり、特に、通信装置の間の近隣関係を判別するための方法および通信装置に関する。
【背景技術】
【０００２】
通信ネットワークにおいて、例えば、１つのセルから別のセルにユーザ装置（ＵＥ）のハンドオーバを実行する場合には、それらのセルにサービスを提供している複数の基地局の間の近隣関係を確立する必要がある。
【０００３】
長期的進化システム（ＬＴＥ：Ｌｏｎｇ  Ｔｅｒｍ  Ｅｖｏｌｕｔｉｏｎ）においては、基地局の中で、適応的近隣セル関係（ＡＮＲ：Ａｄａｐｔｉｖｅ  Ｎｅｉｇｈｂｏｕｒｉｎｇ  Ｃｅｌｌ  Ｒｅｌａｔｉｏｎｓ）機能が使用される。ＡＮＲは、３ＧＰＰＴＳ３６．３３１の中で、セルの間の近隣セル関係を自動的に構築する機能であると定義されている。これはＵＥからの支援によって行われる。
【０００４】
第１のセルにサービスを提供する第１のｅＮｏｄｅＢはＡＮＲ機能を有する。正規の呼制御手順の一部として、第１のｅＮｏｄｅＢは各ＵＥに対して周囲の無線環境の測定を実行するよう命令する。第１のｅＮｏｄｅＢは、測定を行うようＵＥに対する命令に対して、またＵＥが第１のｅＮｏｄｅＢに対してそれらを報告するときに、異なるポリシーを使用することができる。この測定手順は、以下のステップを備える。
‐ＵＥは第２のｅＮｏｄｅＢの第２のセルに関する測定報告を送信する。この報告は、第２のセルの物理セルＩＤ（Ｐｈｙ‐ＣＩＤ：Ｐｈｙｓｉｃａｌ  Ｃｅｌｌ  ＩＤ）を含むが、第２のセルのグローバル‐ＣＩＤ（Ｇｌｏｂａｌ−ＣＩＤ）は含まない。
【０００５】
第１のｅＮｏｄｅＢがＰｈｙ‐ＣＩＤを含むＵＥの測定報告を受信するときには、以下のシーケンスを使用することができる。
‐第１のｅＮｏｄｅＢは、新しく発見されたＰｈｙ‐ＣＩＤをパラメータとして使用して、関係する第２のセルの、グローバル‐ＣＩＤ、追尾エリアコード（ＴＡＣ：ｔｒａｃｋｉｎｇ  ａｒｅａ  ｃｏｄｅ）、および全ての利用可能な公衆陸上移動ネットワーク（ＰＬＭＮ：Ｐｕｂｌｉｃ  Ｌａｎｄ  Ｍｏｂｉｌｅ  Ｎｅｔｗｏｒｋ）ＩＤを読むようにＵＥに対して命令する。これを行うために、第１のｅＮｏｄｅＢは、適切なアイドル時間間隔をスケジューリングして、ＵＥが、いずれかの公知の様式で、検出された第２のセルのブロードキャストチャネル（ＢＣＨ：ｂｒｏａｄｃａｓｔ  ｃｈａｎｎｅｌ）からグローバル‐ＣＩＤを読むことができるようにする必要がある場合がある。
‐ＵＥがＢＣＨの上で第２のセルのグローバル‐ＣＩＤを見いだしたときには、ＵＥは、検出したグローバル‐ＣＩＤを第１のセルにサービスを提供する第１のｅＮｏｄｅＢに対して報告する。さらに、ＵＥは、検出したＴＡＣおよび全てのＰＬＭＮＩＤを報告する。これは第１のｅＮｏｄｅＢがこれらの情報を要求するときにはいつでも行う。
‐第１のｅＮｏｄｅＢはこの近隣関係を追加することを決定し、Ｐｈｙ‐ＣＩＤおよびグローバル‐ＣＩＤを使用して以下のことを行うことができる。
ａ  この新しい第２のｅＮｏｄｅＢに対するトランスポート層アドレスのルックアップを行う。
ｂ  その近隣関係リストを更新する。
ｃ  必要ならば、この第２のｅＮｏｄｅＢに向けて新しいＸ２インタフェースを設定する。
【発明の概要】
【発明が解決しようとする課題】
【０００６】
ＡＮＲ機能はＵＥからの情報を利用して近隣セル関係を構成するという点で、ＡＮＲにはセキュリティ問題が存在する。
【０００７】
「悪意を持つ」ＵＥは、「架空の」物理セル識別情報を報告することができるであろう。これは、近隣セルの生成、近隣セル関係の生成、およびＸ２インタフェースの確立が開始されることに至る可能性がある。
【０００８】
このタイプの振る舞いは、サービス妨害（ＤｏＳ：Ｄｅｎｉａｌ  ｏｆ  Ｓｅｒｖｉｃｅ）攻撃の１つの型と見ることもできるであろう。これは、「架空の」近隣セルは、「真実の」近隣セル（および関係）が生成されるのをブロックするであろうと考えられ、架空の近隣セルに対してＸ２インタフェースを設定して「真実の」近隣セルに対する容量を残さないからである。また、攻撃は、無線アクセスネットワーク（ＲＡＮ：ｒａｄｉｏ  ａｃｃｅｓｓ  ｎｅｔｗｏｒｋ）におけるシグナリング負荷の増加を引き起こすであろう。これは、この「架空の」近隣セルが別の基地局に属しているときにはＸ２接続の確立が開始されると考えられるからである。
【０００９】
これらのタイプのセキュリティ課題は、ＵＥの中に、オープンソースオペレーティングシステム（アンドロイドおよびまたはそれと同様のもの等）が導入される場合には、増大する問題点となる可能性があるであろう。この場合、異なる事業者／ＵＥおよび／またはそれと同様のものからの悪意を持つ攻撃が増加する可能性がある。
【００１０】
同様の問題は、例えば天候条件によっても生ずる可能性があるであろう。ある特定の天候では、無線信号はさらに遠くに伝搬し（大気による反射）、そしてこれは、ＵＥが、そのＵＥに対してサービスを提供している基地局から遠くに離れた基地局の物理識別情報を報告する可能性がある結果に至るであろう。
【００１１】
ＡＮＲによって「間違った」近隣セル関係が構築された場合には、ＵＥは「間違った」基地局にハンドオーバし、コネクションが切断される危険性が増大する結果を招く。
【課題を解決するための手段】
【００１２】
本明細書における実施形態は、複数の通信装置（例えば、基地局）の間の近隣関係を設定するための、信頼性が高くかつ効率的な方法を開示する。
【００１３】
いくつかの実施形態においては、適応的近隣セル関係機能を有する第１の通信装置における方法を開示する。第１の通信装置は、第１の通信装置がサービスを提供している第１のセルの中にキャンプ（滞在）している／接続しているユーザ装置から、第２の通信装置の、潜在的に可能性のある近隣セル候補の測定報告を受信し、その受信した測定報告の中で示された、可能性のある近隣セル候補にサービスを提供している第２の通信装置に対するノード間接続をセットアップ（確立）するように決定する。さらに、第１の通信装置は、第１の通信装置の地理的位置の情報を含むコネクションリクエスト（接続要求）を第２の通信装置に送信することにより、第２の通信装置に対するノード間接続の確立を開始する。
【００１４】
本方法を実行するために、第１の通信装置が提供される。第１の通信装置は、第１の通信装置のメモリユニットに記憶された適応的近隣セル関係機能、および適応的近隣セル関係機能を実行するように構成された制御ユニットを備える。第１の通信装置は受信装置をさらに備え、受信装置は、可能性のある近隣セル候補の測定報告を、第１の通信装置のセルの中に滞在している／接続しているユーザ装置から受信するよう適合される。さらに、制御ユニットは、受信した測定報告の中で示された、可能性のある近隣セル候補にサービスを提供する第２の通信装置に対するノード間接続を設定するように決定し、第１の通信装置の地理的位置の情報を含む接続要求を、ネットワークインタフェースを通して第２の通信装置に送信することにより、第２の通信装置に対するノード間接続の確立を開始するように構成される。
【００１５】
いくつかの実施形態においては、第２の通信装置が実行する方法を開示する。第２の通信装置は、第１の通信装置と第２の通信装置との間のノード間接続を設定するための接続要求を、第１の通信装置から受信する。ここで、接続要求は、第１の通信ノードの地理的位置の情報を含む。第２の通信装置は、第１の通信装置の地理的位置を第２の通信装置の地理的位置と比較することにより、要求に対するノード間接続レスポンス（応答）を決定する。ここで、ノード間接続応答は、第１の通信装置の地理的位置が第２の通信装置の地理的位置の範囲の中にないと判定された場合には、否定的なノード間接続応答を有し、近隣関係にないことを指示している。さらに、第２の通信装置は、第１の通信装置にノード間接続応答を送信する。
【００１６】
本方法を実行するために第２の通信装置が提供される。第２の通信装置はネットワークインタフェースを備え、ネットワークインタフェースは、第１の通信装置と第２の通信装置との間のノード間接続を設定するための接続要求を第１の通信装置から受信するように構成される。ここで、接続要求は、第１の通信ノードの地理的位置の情報を含む。第２の通信装置は制御ユニットを備え、制御ユニットは、第１の通信装置の地理的位置を第２の通信装置の地理的位置と比較することにより、接続要求に対するノード間接続応答を決定するように構成される。ここで、ノード間接続応答は、第１の通信装置の地理的位置が第２の通信装置の地理的位置の範囲の中にないと判定された場合には、否定的なノード間接続応答を有し、近隣関係にないことを指示している。ネットワークインタフェースは、ノード間接続応答を第１の通信装置に送信するようにさらに構成される。
【００１７】
いくつかの実施形態は、要求する基地局の地理的位置（グローバルポジショニング（全地球測位）システム（ＧＰＳ）により取得された位置等）をＸ２アプリケーションプロトコル（Ｘ２ＡＰ：Ｘ２−Ａｐｐｌｉｃａｔｉｏｎ  Ｐｒｏｔｏｃｏｌ）仕様のＸ２ＳＥＴＵＰＲＥＱＵＥＳＴメッセージの中に追加する様式を開示する。地理的位置はまた、要求する基地局がサービスを提供する各セルの方向（およびカバレッジ）によって補完することもできるであろう。
【００１８】
この様式では、Ｘ２ＳＥＴＵＰＲＥＱＵＥＳＴメッセージを受信する基地局は、受信した、要求する基地局の地理的位置に向かっての、自分の地理的位置をチェックする能力を有し、従って、関係が実体的であるか否かを判定することができる。
【００１９】
Ｘ２接続確立を開始した基地局が、可能性のある近隣セル候補として報告されたセルを「ブラックリストに載せる」ことができるように、新しい要因値もまたＸ２ＳＥＴＵＰＲＥＳＰＯＮＳＥメッセージの中に含められるべきである。
【００２０】
最後に、基地局は、そのＵＥからの近隣セル関係に対する引き続く提案に対して、ＡＮＲ機能がいずれの行動もさらに取ることがないように、報告するＵＥを「ブラックリストに載せる」こともできるであろう。この「ブラックリストに載せる」ことは、おそらく、ＵＥが接続モード（コネクテッドモード）にある間だけは存続されるべきであり、そして、他の基地局もまたそのＵＥからの報告に対して行動を取らないようするために、ハンドオーバシグナリングの中で他の基地局に転送することもできるであろう。
【００２１】
成功しなかったＡＮＲ構成は、明らかに常に記録に残される（ロギングされる）べきであり、成功しなかったＡＮＲ構成がある時間間隔の中で多くあった場合には、可能であるならば、サービス停止（ＤｏＳ）攻撃が生ずる可能性を示す警告があって然るべきである。
【００２２】
いくつかの実施形態を、添付の図面と関連づけて以下でより詳細に記述する。
【図面の簡単な説明】
【００２３】
【図１】通信ネットワークの概観を示す図である。
【図２】通信ネットワークにおける方法およびシグナリング方式の組み合わせを示す図である。
【図３】通信ネットワークにおける方法およびシグナリング方式の組み合わせを示す図である。
【図４】第１の通信装置における方法のフローチャートの概観を示す図である。
【図５】第１の通信装置における方法のフローチャートの概観を示す図である。
【図６】第１の通信装置の概観を示す図である。
【図７】第２の通信装置における方法のフローチャートの概観を示す図である。
【図８】第２の通信装置における方法のフローチャートの概観を示す図である。
【図９】第２の通信装置の概観を示す図である。
【発明を実施するための形態】
【００２４】
図１に、通信ネットワークの概観図を示す。通信ネットワークは、ＡｄｖａｎｃｅｄＬＴＥ、ＬＴＥ、ユニバーサル地上移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、および／またはそれと同様のものを備えることができる。
【００２５】
第１のユーザ装置（ＵＥ：Ｕｓｅｒ  Ｅｑｕｉｐｍｅｎｔ）１００は、第１の基地局１０のセルＡに接続されている／キャンプしている。ＵＥ１００は、第２の基地局２０がサービスを提供しているセルＢのセルＩＤを含む測定報告を、サービスを提供している第１の基地局１０に送信する。第１の基地局１０は、測定報告（例えば、セルＩＤ、ＵＥ識別情報、信号強度、および／またはそれと同様のもの）の中の情報に基づいてセルＢがセルＡに対する近隣セルであると判定することができ、接続要求を第２の基地局２０に送信する。ここで、接続要求は、第１の基地局１０の地理的位置の情報（例えば、ＧＰＳデータおよび／またはそれと同様のもの）を含む。しかしながら、ＵＥ１００は、無線伝搬（大気による反射）によって、第２の基地局２０からブロードキャストチャネルを受信した可能性があり、そしてこれにより、ＵＥ１００は第２の基地局２０の物理識別情報を報告することになるであろう。ここで、第２の基地局２０は第１の基地局１０から遠くに離れて位置している。
【００２６】
第２の基地局２０は、第１の基地局１０の地理的位置を第２の基地局２０の地理的位置と比較して、その比較に基づいて接続要求に対して応答する。第１の基地局１０が第２の基地局２０の範囲の外（＞１０ｋｍ、等）にあると判定された場合には、接続要求は拒否される。この範囲はセルＡのカバレッジおよび強度に基づいて決めることができる。この範囲は、例えば、セルＡのカバレッジ半径の２倍および／またはそれと同様のものに設定することができる。
【００２７】
第１の通信装置１０は、接続要求は拒否されているという応答を受信する。いくつかの実施形態においては、この応答は、接続要求が拒否される要因を示す要因値を含むことができる。これは、例えば、セルが近隣セルではないおよび／またはそれと同様のものであると判定されたことを示す値である。従って、第１の通信装置１０は、そのセルおよび／または報告しているＵＥ１００を、そのＵＥからの／そのセルの報告を第１の通信装置１０が無視することができるように、間違ったセル／ＵＥであるとして第１の通信装置１０のローカルリストの中に格納することができる。
【００２８】
セルおよび／またはＵＥ１００の識別情報もまた、例えば、ハンドオーバシグナリングおよび／またはそれと同様のものの中で近隣の通信装置に報告することができる。
【００２９】
図２に、通信ネットワークにおける方法およびシグナリング方式を組み合わせた図を示す。
【００３０】
ＵＥ１００は、第２の基地局ｅＮＢ２０がサービスを提供している、潜在的に近隣セルである可能性のある近隣セルの測定を、ＵＥ１００の現在のセルにサービスを提供している第１の基地局ｅＮＢ１０に報告する。
【００３１】
報告は可能性のある近隣セルのＰｈｙ‐ＣＩＤを備えているので、ｅＮＢ１０が可能性のある近隣セル候補の報告を受信するときには、ｅＮＢ１０は、その報告からＰｈｙ‐ＣＩＤ読むことができる。
【００３２】
従って、ｅＮＢ１０は、新しく発見したＰｈｙ‐ＣＩＤをパラメータとして使用して、関係する、可能性のある近隣セルの、グローバル‐ＣＩＤ、追尾エリアコード（ＴＡＣ）、および利用可能な全ての公衆陸上移動ネットワーク（ＰＬＭＮ）ＩＤを読むようにＵＥ１００に命令することができる。これを行うためには、ｅＮｏｄｅＢ１０は、適切なアイドル時間間隔をスケジューリングして、検出した、可能性のある近隣セル候補のブロードキャストチャネル（ＢＣＨ）から、いずれかの公知のやり方で、ＵＥ１００がグローバル‐ＣＩＤを読むことができるようにする必要がある場合がある。
【００３３】
ＵＥ１００が、可能性のある近隣セルのグローバル‐ＣＩＤをＢＣＨの上で見いだした場合には、ＵＥ１００は、ＵＥ１００のセルにサービスを提供しているｅＮＢ１０に、検出したグローバル‐ＣＩＤを報告する。さらに、ＵＥ１００は、検出したＴＡＣおよび全てのＰＬＭＮＩＤを報告する。これはｅＮＢ１０がこれらの情報を要求するときにはいつでも行う。
【００３４】
ＵＥ１００が可能性のある近隣セル候補を報告した場合には、ステップＳ１において、ｅＮＢ１０は、可能性のある近隣セル候補にサービスを提供しているｅＮＢ２０に対するＸ２接続の確立を開始するであろう。
【００３５】
ｅＮＢ２０に送信されるＸ２ＳＥＴＵＰＲＥＱＵＥＳＴメッセージの中には、新しい情報要素が含まれるであろう。この新しい情報要素は、Ｘ２確立の試みを開始するｅＮＢ１０の地理的位置、また恐らくは、ｅＮＢ１０に属する各セルの方向およびカバレッジエリアを示している。地理的位置（例えば、経度および緯度）は、ｅＮＢ１０の上のＧＰＳシステムから、ｅＮＢ１０を設備するときに手動で、三角測量によって、および／またはそれと同様のものによって判定することができる。
【００３６】
ステップＳ２において、Ｘ２ＳＥＴＵＰＲＥＱＵＥＳＴメッセージを受信する基地局ｅＮＢ２０は、自分自身がサービスを提供しているセルの地理的位置（およびカバレッジ情報）に対して、受信した地理的位置、（およびカバレッジ情報）のチェックを行うことにより、受信したＸ２ＳＥＴＵＰＲＥＱＵＥＳＴが実体的な構成になっているか否かを評価するであろう。ｅＮＢ２０の地理的位置（例えば、経度および緯度）は、ＧＰＳから、手動で、三角測量によって、および／またはそれと同様のものによって、同様に判定することができる。
【００３７】
Ｘ２ＳＥＴＵＰＲＥＱＵＥＳＴメッセージを受信するｅＮＢ２０が、そのメッセージは、Ｘ２ＳＥＴＵＰＲＥＱＵＥＳＴの中に存在する任意のセルに対する、自分自身の任意のセルの間の近隣セル関係を確立するために実体的でないであろうと判定したとすれば、ｅＮＢ２０は、Ｘ２ＳＥＴＵＰＲＥＱＵＥＳＴに対してＸ２ＳＥＴＵＰＦＡＩＬＵＲＥメッセージでもって答えるであろう。この場合には、Ｘ２ＳＥＴＵＰＦＡＩＬＵＲＥメッセージは新しい要因値を含むことができ、この新しい要因値は、提案された近隣セル関係の確立は拒否されることを示している。これは、無線条件の観点からして、その関係は実体的ではないであろうと考えられるからである。実体的な近隣セルとは、事前に設定した、ｅＮＢ２０からの範囲の中にあるセルであってよい。事前に設定する範囲はｅＮＢ２０のセルの半径の２倍に設定することができる。
【００３８】
ｅＮＢ１０が新しい要因値を持つＸ２ＳＥＴＵＰＦＡＩＬＵＲＥメッセージを受信した場合には、ステップＳ３において、ｅＮＢ１０は、Ｘ２接続確立の試みを開始したセル（および、恐らくは、このｅＮＢ２０がサービスを提供している他のセル）の識別情報を「ブラックリスト」の中に移動して、このｅＮＢ２０に向かって更なるＸ２接続確立が試みられないようにすることができる（ｅＮＢ１０もまた、「ｅＮＢブラックリスト」を作成することができるであろう。この「ｅＮＢブラックリスト」は、実体的な近隣セルのｅＮＢではないという理由によってＸ２接続確立を拒否したｅＮＢのｅＮＢ識別情報を含む）。セルはＰｈｙ‐ＩＤ、グローバルＩＤ、および／またはそれと同様のもので指示することができる。
【００３９】
ｅＮＢ１０はまた、または代替として、新しい近隣セル関係に対する提案を行ったＵＥ１００のＵＥ状況（ＵＥ  ｃｏｎｔｅｘｔ）では、近隣セル関係に関するこのＵＥ１００からのいずれの提案に対しても、ＡＮＲ機能は動作するべきではないということを指示するステップへと進むことができるであろう。ＵＥ１００のＵＥ状況はｅＮＢ１０におけるブラックリストの中に記憶することができる。
【００４０】
ＵＥ、ｅＮＢ、セルに関するこれらのタイプのリスト作成は、第２のｅＮＢ２０において実行することもできるという点も注意されるべきである。
【００４１】
ＵＥ１００が、新しい近隣セル関係を提案したことから「ブラックリストに載せられた」という指示は、その後、このＵＥに対する引き続くハンドオーバシグナリングの中で転送することができるであろう（すなわち、３ＧＰＰＴＳ３６．４２３および３ＧＰＰＴＳ３６．４１３のインパクト（ｉｍｐａｃｔ）‐例えば、Ｘ２ＨＡＮＤＯＶＥＲＲＥＱＵＥＳＴメッセージ）。
【００４２】
上記のシステムでは、例えば、以下のことが可能になる。
・ネットワークは、提案された近隣セル関係が実体的であるか否かを判定することができ、従って、より最適な様式でネットワーク資源を利用するであろう。
・「悪意を持つ」ＵＥが判定されるので、ネットワークのシグナリングおよび処理が低減される。
・「悪意を持つ」ＵＥが判定されるので、無線シグナリングが低減される。
・ＵＥが正しくない基地局にハンドオーバされたことにより生ずる接続の切断（ドロップ）が低減される。
【００４３】
従って、この解決策によって、ネットワークは、提案された近隣セル関係が実体的であるか否かを判定することができる。
【００４４】
図３には、通信ネットワークにおける方法およびシグナリング方式を組み合わせた図を示す。
【００４５】
ＵＥ１００は、基地局ｅＮＢ２０の第２のセルの測定報告を、第１のセルにサービスを提供している基地局ｅＮＢ１０に送信する。第１のセルの中ではＵＥ１００が接続されている／滞在している。ｅＮＢ１０は、ＵＥ１００、ｅＮＢ２０、および／または第２のセルを識別することができる。
【００４６】
ステップＳ４において、ｅＮＢ１０は、ＵＥ１００のＵＥ状況がブラックリストの中にあるか否かをチェックする。ブラックリストは、新しい近隣セル関係の提案は無視されるべきであるＵＥを示している。ブラックリストはまた、ＵＥ状況、ｅＮＢＩＤ、セルＩＤ、および／またはそれと同様のものに基づくこともでき、ｅＮＢ２０からのハンドオーバシグナリングの中で受信して、および／またはそれと同様のものにより、ｅＮＢ１０が生成することができるという点が理解されるべきである。
【００４７】
示した実施例では、ｅＮＢ１０は、ＵＥ１００がｅＮＢ１０のブラックリストの中にあって、信頼性が高いソースではないと判定し、その報告を無視し、また、ＵＥ１００のセル測定は無視するという指示をＵＥ１００に対して送信する。ＵＥ１００が接続モード（ｃｏｎｎｅｃｔｅｄ  ｍｏｄｅ）にある限り、ＵＥ１００は別のｅＮＢにハンドオーバされることができない可能性があるので、ＵＥ１００にこのことを知らせるのはよいと考えられる。
【００４８】
ここで、ＵＥからの全ての報告が無視されるのではないであろうという点に注意すべきである。もし、ＵＥが、近隣セルとしてｅＮＢに知られているセルに関する報告を送信するとすれば、ハンドオーバを開始することができる。しかし、ＵＥが送信した物理セル識別情報（ＰＣＩ：Ｐｈｙｓｉｃａｌ  Ｃｅｌｌ  Ｉｄｅｎｔｉｔｙ）が未知であれば、ＡＮＲ機能は開始されないであろう。これはすなわち、ｅＮＢ１０は、報告されたセルのグローバル識別情報を報告し返すことをＵＥ１００に要求しないということである。
【００４９】
ＵＥ１００が接続モードである限り、事前に設定した時間間隔の間、および／またはそれと同様の時間の間、ＵＥ１００をブラックリストに掲載することができる。
【００５０】
図４は、第１の通信装置における方法のフローチャートを示す。
【００５１】
ステップ４２において、第１の通信装置は、可能性のある近隣セル候補の測定報告を、第１の通信装置がサービスを提供している第１のセルの中に滞在している／接続しているユーザ装置から受信する。
【００５２】
ステップ４４において、第１の通信装置は、測定報告の中に指示された、可能性のある近隣セル候補にサービスを提供している第２の通信装置に対するノード間接続を設定することを決定する。これは、既に近隣セルとなっているセル、禁止されたセル／ＵＥ、および／またはそれと同様のもののリストをチェックすることに基づいて決定することができる。
【００５３】
ステップ４６において、第１の通信装置は、接続要求を第２の通信装置に送信することにより、第２の通信装置に対するノード間接続の設定を開始する。ここで、接続要求は第１の通信装置の地理的位置の情報を含む。
【００５４】
図５は、第１の通信装置における同様の方法のフローチャート示す。
【００５５】
ステップ４２において、第１の通信装置は、可能性のある近隣セル候補の測定報告を、第１の通信装置がサービスを提供している第１のセルの中に滞在している／接続しているユーザ装置から受信する。第１の通信装置は、可能性のある近隣セル候補のＰｈｙ‐ＣＩＤを、報告から判定することができる。そしてユーザ装置に対して、可能性のある近隣セル候補のグローバルＣＩＤを検索するように要求することができる。その後、グローバルＣＩＤを使用してノード間接続要求（Ｘ２設定要求、ｌｕｒ設定要求、および／またはそれと同様のもの）を送信する。
【００５６】
ステップ４４において、第１の通信装置は、測定報告の中で指示された、可能性のある近隣セル候補にサービスを提供している第２の通信装置に対してノード間接続（ＩＣ：ｉｎｔｅｒ  ｎｏｄｅ  ｃｏｎｎｅｃｔｉｏｎ）を設定することを決定する。ノード間接続は、Ｅ−ＵＴＲＡＮの中のＸ２接続、および／またはそれと同様のものを備える。これは、（可能性のある）近隣セルに対して接続要求を送信することにより行われる。第１の通信装置はまた、近隣セルのセル‐ＩＤ、ＵＥ、および／またはｅＮＢＩＤが信頼できないセル‐ＩＤ、ＵＥ、および／またはｅＮＢのリストの中にあるか否か、そして、いずれの近隣関係も確立されるべきではないということ、またはそのセルＩＤが近隣セルのリストの中に存在するということが示されているかをチェックすることが可能になる。
【００５７】
ステップ４６において、第１の通信装置は、第１の通信装置の地理的位置の情報を含む接続要求を送信することにより、第２の通信装置に対するノード間接続のセットアップを開始する。地理的位置の情報には、全地球測位システムの地理的位置および／またはそれと同様の情報が含まれてもよい。接続要求には、第１の通信装置がサービスを提供している第１のセルの方向／カバレッジ／送信電力を示す情報が含まれてもよい。
【００５８】
従って、第１の通信装置は、接続要求に対するノード間接続応答を受信することができる。この接続応答は、間違った近隣セル関係を示す否定的なノード間接続応答、または正しい近隣セル関係を示す肯定的なノード間接続応答を示している。
【００５９】
ステップ４８において、第１の通信装置は、正しい近隣セル関係を示す肯定的なノード間接続応答（例えば、ノード間接続設定確認メッセージ）を受信する。
【００６０】
従って、ステップ５０において第１の通信装置は、肯定的なノード間接続応答の結果として、適応的近隣セル関係機能（ＡＮＲ）の近隣関係リストにそのセルを追加することを決定する。ここで、近隣セルにサービスを提供している第２の通信装置に対するノード間接続の設定を決定する前に、また、ノード間接続応答が肯定的応答でありセルを近隣関係リストの中に保持するか、またはノード間接続応答が否定的応答でありセルを近隣関係リストから削除するかを判定する前に、近隣関係リストにそのセルを追加することができるというという点に注意すべきである。
【００６１】
ステップ５２において、第１の通信装置は、否定的なノード間接続応答を示す、接続要求に対するノード間接続応答（例えば、ノード間接続確立失敗メッセージ（ｆａｉｌｕｒｅ  ｍｅｓｓａｇｅ））を受信する。この否定的なノード間接続応答は、間違った近隣セル関係を示す。
【００６２】
ステップ５４において、第１の通信装置は、受信したノード間接続応答の中の要因値を読むことができる。このノード間接続応答は、近隣関係は地理的観点からして実体的ではないのでノード間接続応答は否定的であるということを示している。
【００６３】
ステップ５６において、第１の通信装置は、信頼できないユーザ装置として測定報告を送信したユーザ装置の識別情報をリスト（いわゆるブラックリスト）の中に記憶する。第１の通信装置は、また／または代替として、第２の通信装置の識別情報をリストの中に記憶することができる。このリストは、リストの中に載せた通信装置のセルは第１の通信装置がサービスを提供しているセルに対する近隣セルであるとは（決して）考えられないであろうということを示している。
【００６４】
ステップ５８において、第１の通信装置は、そのユーザ装置／セルは信頼できないことを示すインジケーション（指標）を近隣の通信装置に対して送信することができる。これはハンドオーバシグナリングの中で実行することができ、そしてその指標はブラックリストであってよい。
【００６５】
第１の通信装置はまた、この要求手順を、例えば、サービス停止攻撃が進行中であるか否かを判定するための拒否手順としてロギングする（記録に残す）ことができる。
【００６６】
図４および図５に従った方法を実行するために、第１の通信装置が提供される。
【００６７】
図６に、第１の通信装置の概観図を示す。
【００６８】
第１の通信装置は基地局（無線基地局、ＮｏｄｅＢ、および／またはそれと同様のもの等）、または基地局と制御装置ユニットとを組み合わせたもの（進化型（ｅｖｏｌｖｅｄ）ＮｏｄｅＢおよび／またはそれと同様のもの等）であってよい。第１の通信装置１０は、第１の通信装置のメモリユニット１０７の上に記憶された適応的近隣セル関係機能と、適応的近隣セル関係機能を実行するように構成された制御ユニット１０１とを備える。
【００６９】
第１の通信装置１０は受信装置１０３を備え、受信装置１０３は、第１の通信装置１０の第１のセルに接続している／滞在しているユーザ装置から、可能性のある近隣セル候補の測定報告を受信するよう適合される。制御ユニット１０１は、報告からＰｈｙ‐ＣＩＤを判定するとともに、可能性のある近隣セルのグローバルＣＩＤを検索するよう送信構成１０５を通してユーザ装置に要求するように構成することができる。そして、グローバルＣＩＤ／Ｐｈｙ‐ＣＩＤは、ネットワークインタフェースＩ／Ｏ１０９を通してノード間接続要求（Ｘ２設定要求、ｌｕｒ設定要求、および／またはそれと同様のもの等）を送信するために使用されるものである。
【００７０】
制御ユニット１０１は、受信した測定報告の中で指示されたセルにサービスを提供している第２の通信装置に対するノード間接続（ＩＣ）の設定を判定するように構成される。制御ユニット１０１は、セルが既に近隣リストの中に存在するか、従って設定は必要でないかをチェックすることができる。制御ユニット１０１は、可能性のある近隣セルのセル‐ＩＤ、ＵＥ、および／またはｅＮＢＩＤが、第１の通信装置のメモリユニット１０７の中に記憶された、信頼できないセル‐ＩＤ、ＵＥ、および／またはｅＮＢのリストの中に存在し、いずれの近隣関係も確立されるべきではないということを指示しているかをチェックするようにさらに構成することができる。
【００７１】
制御ユニット１０１は、測定報告の中に指示された、可能性のある近隣セル候補にサービスを提供している第２の通信装置に対するノード間接続を設定すること（の設定）を開始するようにさらに構成される。ノード間接続は、Ｅ−ＵＴＲＡＮおよび／またはそれと同様のものの中のＸ２接続を備える。
【００７２】
制御ユニット１０１は、第１の通信装置の地理的位置の情報を含む接続要求を第２の通信装置に送信する（例えば、可能性のある近隣セル候補のグローバルＣＩＤを使用して）ことにより、第２の通信装置に対するノード間接続の設定を開始するように構成される。地理的位置は、第１の通信装置の測位システム１１１（ＧＰＳシステム、および／またはそれと同様のもの等）から検索した、全地球測位システムの地理的位置および／またはそれと同様のものを備えることができる。接続要求はまた、第１の通信装置がサービスを提供している第１のセルの、メモリユニット１０７から検索した方向／カバレッジ／送信電力を備えることができる。
【００７３】
受信装置１０３は、接続要求に対するノード間接続応答を受信するようにさらに構成することができる。ここで、ノード間接続応答は、間違った近隣セル関係を示す否定的なノード間接続応答、または正しい近隣セル関係を示す肯定的なノード間接続応答を有することができる。
【００７４】
制御ユニット１０１は、測定報告および／またはノード間接続応答に基づいて、メモリ１０７の中に記憶された適応的近隣セル関係機能の近隣関係リストにセルを追加することを決定するようにさらに構成することができる。例えば、可能性のある近隣セル候補は、ノード間接続応答が肯定的であるならば、近隣関係リストの中に記憶される。
【００７５】
いくつかの実施形態においては、第１の通信装置は、ネットワークインタフェース１０９を通して、接続要求に対するノード間接続応答であって、間違った近隣セル関係を示す否定的なノード間接続応答（例えば、ノード間接続確立失敗メッセージ）を受信する。制御ユニット１０１は、受信したノード間接続応答の中の要因値を読むことができる、この要因値は、地理的観点からして近隣関係は実体的でないのでノード間接続応答が否定的であることを示している。
【００７６】
制御ユニット１０１は、信頼できないユーザ装置として測定報告を送信したユーザ装置の識別情報を、メモリユニット１０７の中のリスト（いわゆるブラックリスト）の中に記憶するようにさらに構成することができる。制御ユニット１０１は、第２の通信装置の識別情報をリストの中に記憶するようにさらに構成することができる。このリストは、リストの中に載せた通信装置のセルは第１の通信装置がサービスを提供しているセルに対して近隣セルであるとは決して考えられないということを示している。
【００７７】
制御ユニット１０１は、ユーザ装置／セルは信頼できないという指標を、ネットワークインタフェースＩ／Ｏ１０９を通してハンドオーバシグナリングの中で近隣の通信装置に対して送信するようにさらに構成することができる。
【００７８】
さらに、制御ユニット１０１は、この要求手順を、例えばサービス停止攻撃が進行中であるか否かを、例えば判定するための拒否手順としてログするように構成することができる。このログからのログ情報はメモリユニット１０７の中に記憶することができる。
【００７９】
さらに、第１の通信装置は受信装置１０３および送信構成１０５を備えることができ、受信装置１０３および送信構成１０５は、第１の通信装置のセルの中にキャンプした／接続されたＵＥと通信するように構成される。従って、第１の通信装置は、適応的近隣セル関係機能の中のブラックリストにあるユーザ装置から受信装置１０３を通して受信した測定報告を拒否／無視して、拒否／拒絶の指標を、送信構成１０５を通してそのユーザ装置に送信することができる。
【００８０】
制御ユニット１０１は、ＣＰＵ、単一の処理ユニット、複数の処理ユニット、およびまたはそれと同様のものを備えることができる。
【００８１】
メモリユニット１０７は、単一のメモリユニット、複数のメモリユニット、外部および／または内部メモリユニットを備えることができる。
【００８２】
図７には、第２の通信装置における方法の概観図を示す。
【００８３】
ステップ６２において、第２の通信装置は、第１の通信装置と第２の通信装置との間のノード間接続を確立するための接続要求を、第１の通信装置から受信する。ここで、接続要求は第１の通信ノードの地理的位置の情報を含む。
【００８４】
ステップ６４において、第２の通信装置は、第１の通信装置の地理的位置を第２の通信装置の地理的位置と比較することにより、接続要求に対するノード間接続応答を決定する。第１の通信装置の地理的位置が第２の通信装置の地理的位置の範囲の中になく近隣関係にないことを示していると判定された場合には、ノード間接続応答は否定的なド間接続応答を指示する。
【００８５】
ステップ６６において、第２の通信装置は、ノード間接続応答を第１の通信装置に送信する。
【００８６】
図８には、第２の通信装置における方法の実施例の概観図を示す。
【００８７】
ステップ６２において、第２の通信装置は、第１の通信装置と第２の通信装置との間のノード間接続を設定するための接続要求を、第１の通信装置から受信する。ここで、接続要求は第１の通信ノードの地理的位置の情報を含む。接続要求はＸ２接続を通してのＸ２設定接続要求であってよい。ノード間接続には、いくつかの代替的実施形態においては、ｌｕｒ接続、および／またはそれと同様のものが含まれる。
【００８８】
ステップ６４において、第２の通信装置は、第１の通信装置の地理的位置を第２の通信装置の地理的位置と比較することにより、接続要求に対するノード間接続応答を決定する。第１の通信装置の地理的位置が第２の通信装置の地理的位置の（距離）範囲の中になく近隣関係にないことを示していると判定された場合には、ノード間接続応答は否定的なノード間接続応答を指示する。ここで、接続要求は、第１の通信装置がサービスを提供している少なくとも１つのセルの方向／カバレッジ／送信電力を示す情報をさらに備えることができるという点、およびノード間接続応答を決定するステップは、ノード間接続応答を決定するときには、これらの方向／カバレッジ／送信電力を考慮に入れるという点が理解されるべきである。
【００８９】
いくつかの実施形態においては、範囲は強度／方向／送信電力／および／またはカバレッジに基づいており、例えば、範囲は、第２の通信装置のセルの半径（メートルにおける長さで）の２倍の範囲内にある。
【００９０】
いくつかの実施形態においては、第２の通信装置の地理的位置は、第２の通信装置の中のＧＰＳシステムで、手動で、三角測量によって、および／またはそれと同様のものによって判定される。
【００９１】
ステップ６６において、第２の通信装置は、ノード間接続応答を第１の通信装置に送信する。
【００９２】
ステップ６８においては、第２の通信装置は、ノード間接続の設定が確認されたことを示す肯定的なノード間接続応答を送信する。
【００９３】
ステップ７０においては、第２の通信装置は、ノード間確立失敗／拒絶を示す否定的なノード間接続応答を送信する。このノード間確立失敗／拒絶を示す否定的なノード間接続応答は、いくつかの実施形態においては、拒絶の要因を示す要因値を含む。
【００９４】
ステップ７２において、第２の通信装置は、第１の通信装置の識別情報をリストの中に記憶することができる。このリストは、リストの中に載せた通信装置のセルは第２の通信装置がサービスを提供しているセルに対する近隣セルであるとは（決して）考えられないであろうということを示している。このリストは、例えば、近隣関係にないセル／ｅＮＢを示している。
【００９５】
いくつかの実施形態においては、第２の通信装置は、誤りがある近隣測定報告を送信するユーザ装置を示す指標を第１の通信装置から受信する。そして、そのユーザ装置の識別情報をリストの中に追加する。このリストは、誤りがある近隣測定報告を送信するユーザ装置を備える。第２の通信装置はまた、拒絶されたセルをリストの中に記憶することができる。
【００９６】
第２の通信装置はまた、適応的近隣セル関係機能の中のリストにあるユーザ装置からの／セルの測定報告を拒否／無視することができる。
【００９７】
図７および図８に従った方法を実行するために第２の通信装置が提供される。
【００９８】
図９に、第２の通信装置２０の概観図を示す。
【００９９】
第２の通信装置は基地局（無線基地局、ＮｏｄｅＢ、および／またはそれと同様のもの等）、または基地局と制御装置ユニットとを組み合わせたもの（進化型ＮｏｄｅＢおよび／またはそれと同様のもの等）が含まれる。第２の通信装置２０はネットワークインタフェース２０９を備え、ネットワークインタフェース２０９は、第１の通信装置と第２の通信装置との間のノード間接続（ＩＣ）を設定するための接続要求を、第１の通信装置から受信するように構成される。ここで、接続要求は、第１の通信ノードの地理的位置の情報を有している。ノード間接続は、進化型ユニバーサル地上無線アクセスネットワーク（Ｅｖｏｌｖｅｄ  Ｕｎｉｖｅｒｓａｌ  Ｔｒｒｅｓｔｒｉａｌ  Ｒａｄｉｏ  Ａｃｃｅｓｓ  Ｎｅｔｗｏｒｋ）の中のＸ２接続、ユニバーサル地上無線アクセスネットワークの中のｌｕｒ接続、および／またはそれと同様のものを備えることができる。ここで、ネットワークインタフェース２０９は、Ｘ２インタフェース、ｌｕｒインタフェース、および／またはそれと同様のものを備える。
【０１００】
第２の通信装置２０は制御ユニット２０１をさらに備える。制御ユニット２０１は、第１の通信装置の地理的位置を第２の通信装置の地理的位置と比較することにより、接続要求に対するノード間接続応答を決定するように構成される。第１の通信装置の地理的位置が第２の通信装置の地理的位置の範囲の中になく近隣関係にないことを示していると判定された場合には、ノード間接続応答は否定的なノード間接続応答を有し、また、第１の通信装置の地理的位置が第２の通信装置の地理的位置の範囲の中にあり近隣関係が確認されると判定された場合には、ノード間接続応答は肯定的なノード間接続応答を有しる。
【０１０１】
さらに、制御ユニット２０１は、ネットワークインタフェース２０９を通して、ノード間接続応答を第１の通信装置に送信するように構成される。
【０１０２】
ここでは、接続要求は、第１の通信装置がサービスを提供している少なくとも１つのセルの方向／カバレッジ／送信電力を示す情報さらに備えることができるという点、および制御ユニット２０１は、ノード間接続応答を決定するときには、これらの方向／カバレッジ／送信電力を考慮に入れるという点が理解されるべきである。制御ユニット２０１は、例えば、自分自身のセルのカバレッジを計算し、受信したセルカバレッジの計算値とそれとを比較して、その自分自身のセルが（実体的な）近隣セルであるか否かを判定するように構成することができる。
【０１０３】
いくつかの実施形態においては、範囲は、強度／方向／送信電力／および／またはカバレッジに基づいており、範囲は例えば、第２の通信装置および／または第１の通信装置のセルの半径の２倍の範囲の中にある。例えば、第２の通信装置のセルの「サイズ」（カバレッジ）は、ずっと小さくてもよく、しかしそれでも、第１の通信装置のセルは近隣セルであることができる。従って、可能性のある全ての近隣セルを含めるために、制御ユニット２０１は、第１および第２のセルの最も大きなセル（最大のカバレッジエリア）を判定し、そして、それに基づいて、第１の通信装置と第２の通信装置との間の距離の範囲を最も大きなセルの半径の２倍に設定するように構成することができる。別の実施例では、範囲は、セルの方向に向かっての、カバレッジの最長の距離に設定されることもあるであろう。
【０１０４】
いくつかの実施形態においては、制御ユニット２０１は、内部測位システム（例えば、第２の通信装置の中のＧＰＳ２１１）から地理的位置を判定するように構成することができる。または地理的位置は、設備時に手動入力で、受信した信号にからの三角測量によって、および／またはそれと同様のものによって判定することができる。
【０１０５】
いくつかの実施形態においては、制御ユニット２０１は、拒絶の要因を示す要因値を含む否定的なノード間接続応答を、ネットワークインタフェース２０９を通して送信するように構成することができる。例えば、制御ユニット２０１は、ノード間接続応答の中に２ビットのフィールドを追加することができる。ここでは、ただ１つの値で、制御ユニット２０１が、地理的観点からしてセルが実体的な近隣セルではないと判定したことを示す。
【０１０６】
制御ユニット２０１は、メモリ２０７の中のリストに第１の通信装置の識別情報を記憶するようにさらに構成することができる。このリストは、リストに載せた通信装置のセルは、第２の通信装置がサービスを提供しているセルに対して近隣セルであるとは決して考えられないであろうということを示している。リストはＵＥＩＤ、ｅＮＢＩＤ、セルＩＤ、および／またはそれと同様のものを含むことができるという点が理解されるべきである。
【０１０７】
いくつかの実施形態においては、第２の通信装置は、誤りがある近隣測定報告を送信するユーザ装置を示す指標を、ネットワークインタフェース２０９を通して第１の通信装置から受信するように構成することができる。そして、そのユーザ装置の識別情報をリストの中に追加する。このリストは、誤りがある近隣測定報告を送信するユーザ装置を備える。
【０１０８】
さらに、第２の通信装置は受信装置２０３および送信構成２０５を備えることができ、受信装置２０３および送信構成２０５は、第２の通信装置のセルの中にキャンプした／接続されたＵＥと通信するように構成される。従って、第２の通信装置は、適応的近隣セル関係機能の中のリストにあるユーザ装置から受信装置２０３を通して受信した測定報告を拒否／無視して、その拒否／無視の指標を、送信構成２０５を通してそのユーザ装置に送信することができる。
【０１０９】
制御ユニット２０１は、ＣＰＵ、単一の処理ユニット、複数の処理ユニット、およびまたはそれと同様のものを備えることができる。
【０１１０】
メモリユニット２０７は、単一のメモリユニット、複数のメモリユニット、外部および／または内部メモリユニットを備えることができる。
【０１１１】
方法、装置（システム）のブロック図および／またはフローチャートを参照していくつかの実施形態が記述されている。ブロック図および／またはフローチャートのいくつかのブロック、および、ブロック図および／またはフローチャートにおけるブロックの組み合わせは、コンピュータプログラム命令によって実行することができるという点が理解される。これらのコンピュータプログラム命令は、一般目的のコンピュータ、特殊目的のコンピュータ、および／または他のプログラム可能なデータ処理装置のプロセッサに供給されて、マシーンを構築することができる。これにより、これらの命令は、コンピュータのプロセッサおよび／または他のプログラム可能なデータ処理装置のプロセッサを介して実行され、ブロック図および／またはフローチャートの１つまたは複数のブロックの中で規定される機能／行為を実行するための手段を作り出すことができる。
【０１１２】
これらのコンピュータプログラム命令はまた、コンピュータ読み取り可能なメモリの中に記憶することができ、これらのメモリは、ある特定な様式で機能するようにコンピュータまたは他のプログラム可能なデータ処理装置に命令することができる。これにより、コンピュータ読み取り可能なメモリに記憶された命令は、ブロック図および／またはフローチャートの１つまたは複数のブロックの中で規定される機能／行為を実行する命令を含む製品を作り出すことができる。
【０１１３】
コンピュータプログラム命令はまた、コンピュータまたは他のプログラム可能なデータ処理装置に搭載することができ、コンピュータまたは他のプログラム可能な装置の上で実行されるべき一連の操作ステップを起動し、コンピュータが実行する処理を作り出すことができる。これにより、コンピュータまたは他のプログラム可能な装置の上で実行される命令は、ブロック図および／またはフローチャートの１つまたは複数のブロックの中で規定される機能／行為を実行するためのステップを作り出すことができる。
【０１１４】
いくつかの実施形態においては、ブロックの中に記された機能／行為は、操作の図の中に記された順序とは異なる順序で実行することができる。例えば、継続して示された２つのブロックは、実際は実質的に同時に実行することができる。または、ブロックは、関与する機能／行為に依存して、時には逆の順序で実行することができる。例えば、図５の中のステップ５０は、ステップ４４の前に実行することができる。また、ノード間接続応答が否定的である場合には、そのセルをＡＮＲリストから削除することができる。
【０１１５】
図面と明細書において、本発明の典型的な実施形態を開示した。しかしながら、これらの実施形態に対して多くの変形と変態とを作ることができ、これらは本発明の原理から実質的に逸脱するものではない。従って、特定の用語が使用されているが、それらは一般的かつ記述的意味だけで使用されているのであって、限定を目的とするものではない。本発明の範囲は以下に続く特許請求の範囲によって画定される。
【図１】
0005379908.tif 000002
【図２】
0005379908.tif 000003
【図３】
0005379908.tif 000004
【図４】
0005379908.tif 000005
【図５】
0005379908.tif 000006
【図６】
0005379908.tif 000007
【図７】
0005379908.tif 000008
【図８】
0005379908.tif 000009
【図９】
0005379908.tif 000010